(57)【要約】      （修正有）【課題】メンテナンス性の向上を図りつつ、効率よく脱衣させることが可能な衣類を提供する。【解決手段】手術着１は、前身頃２１及び後身頃２２を備え、着用者の肩線に沿って設けられる肩線部８１Ａ、８１Ｂは、前身頃２１及び後身頃２２の上端縁４６Ａ、４６Ｂ、５６Ａ、５６Ｂ同士が接合分離可能に構成され、分離した状態で着用者の足側に引っ張られることで脱衣可能に構成され、着用者の脇線に沿って設けられる脇線部９Ａ、９Ｂは、その上端９２から下方に離間した離間位置９３まで延在する上方側脇線部９０Ａ、９０Ｂと、離間位置からその下端９４まで延在する下方側脇線部９１Ａ、９１Ｂと、を有し、上方側脇線部は、前身頃２１及び後身頃２２の左右の端縁４８Ａ、４８Ｂ、５８Ａ、５８Ｂ同士が分離不可能に接合され、下方側脇線部は、前身頃及び後身頃の左右の端縁４９Ａ、４９Ｂ、５９Ａ、５９Ｂ同士が分離可能に接合されている。【選択図】図１
0003205705.tif 000002
【実用新案登録請求の範囲】
【請求項１】
前身頃及び後身頃を備え、
着用者の肩線に沿って設けられる肩線部は、前記前身頃及び前記後身頃の上端縁同士が接合分離可能に構成され、分離した状態で着用者の足側に引っ張られることで脱衣可能に構成された衣類であって、
着用者の脇線に沿って設けられる脇線部は、その上端から下方に離間した離間位置まで延在する上方側脇線部と、前記離間位置からその下端まで延在する下方側脇線部と、を有し、
前記上方側脇線部は、前記前身頃及び前記後身頃の左右の端縁同士が分離不可能に接合され、
前記下方側脇線部は、前記前身頃及び前記後身頃の左右の端縁同士が分離可能に接合されていることを特徴とする衣類。
【請求項２】
着用者の各腕の少なくとも一部を覆う袖部を有し、
前記袖部は、前記前身頃及び前記後身頃に縫い目なく連続して設けられたものであり、
前記袖部は、前記肩線部に連続された連続部が接合分離可能に構成されているとともに、前記脇線部の上端から袖口まで、分離不可能に接合されていることを特徴とする請求項１に記載の衣類。
【考案の詳細な説明】
【技術分野】
【０００１】
本考案は、衣類に関する。
【背景技術】
【０００２】
前側布材及び背側布材を有し、肩線に対応する肩線部、及び脇線に対応する脇線部が、面ファスナー部で接合されて、前側布材及び背側布材が接合分離可能に構成された衣類が記載されている（例えば、特許文献１参照）。
【０００３】
このような従来の衣類は、面ファスナー部で分離され、前側布材及び背側布材が別体の２部材となるように引き離されることで、着用者に負担をかけることなく着脱できるように構成されている。
【先行技術文献】
【特許文献】
【０００４】
【特許文献１】実開平６−８５３１８号公報
【考案の概要】
【考案が解決しようとする課題】
【０００５】
ところで、病院やホテルでパジャマやガウン等の衣類を貸し出すサービスが提供されている。ここで、貸し出される衣類は、使用後に一か所に集められ、大量が同時にクリーニングされることでメンテナンスされるが、前側布材、及び背側布材が分離された状態でクリーニングされた場合や、クリーニング中に前側布材、及び背側布材が分解された場合には、組となる前側布材、及び背側布材を探すのが困難だった。
【０００６】
本考案の目的は、メンテナンス性の向上を図りつつ、効率よく脱衣させることが可能な衣類を提供することにある。
【課題を解決するための手段】
【０００７】
上記目的は、以下の本考案によって解決される。
即ち、本考案は、前身頃及び後身頃を備え、着用者の肩線に沿って設けられる肩線部は、前記前身頃及び前記後身頃の上端縁同士が接合分離可能に構成され、分離した状態で着用者の足側に引っ張られることで脱衣可能に構成された衣類であって、着用者の脇線に沿って設けられる脇線部は、その上端から下方に離間した離間位置まで延在する上方側脇線部と、前記離間位置からその下端まで延在する下方側脇線部と、を有し、前記上方側脇線部は、前記前身頃及び前記後身頃の左右の端縁同士が分離不可能に接合され、前記下方側脇線部は、前記前身頃及び前記後身頃の左右の端縁同士が分離可能に接合されていることを特徴とする衣類である。
【０００８】
これによれば、前身頃及び後身頃の上端縁同士が分離された状態で、衣類が着用者の足側に引っ張られることで、着用者が横になった状態のまま、引き抜かれて脱衣される。
【０００９】
さらに、着用者の脇線に沿って設けられる脇線部は、その上端から下方に離間した離間位置まで延在する上方側脇線部と、離間位置からその下端まで延在する下方側脇線部と、を有し、上方側脇線部は、前身頃及び後身頃の左右の端縁同士が分離不可能に接合され、下方側脇線部は、前身頃及び後身頃の左右の端縁同士が分離可能に接合されていることで、上方側脇線部において、前身頃及び後身頃が別部材に分解されることを防止しつつ、下方側脇線部を分離させることで、分離した部分に、チューブ（ドレナージチューブ）等を挿入させることができる。
【００１０】
また、着用者の各腕の少なくとも一部を覆う袖部を有し、袖部は、前身頃及び後身頃に縫い目なく連続して設けられたものであり、袖部は、肩線部に連続された連続部が接合分離可能に構成されているとともに、脇線部の上端から袖口まで、分離不可能に接合されていてもよい。
【００１１】
これによれば、分離不可能に接合された部分が大きくされるから、前身頃及び後身頃が十分に接合される。
【考案の効果】
【００１２】
本考案によれば、クリーニングされる際に、前身頃及び後身頃が分解されることがなくなって、組みと成る前身頃及び後身頃を探す手間が省ける。即ち、メンテナンス性の向上を図ることができる。従って、メンテナンス性の向上を図りつつ、効率よく脱衣させることができる。
【図面の簡単な説明】
【００１３】
【図１】本考案の一実施の形態にかかる衣類を示す平面図である。
【図２】図１に示された衣類を着用した一例を示す図である。
【図３】（Ａ）（Ｂ）は、図１に示された衣類を分解して示す平面図である。
【考案を実施するための形態】
【００１４】
以下、本考案の例示的一態様である手術着（衣類）を、図１〜図３を参照して説明する。図１は、本考案の一実施の形態にかかる衣類を示す平面図である。図２は、図１に示された衣類を着用した一例を示す図である。図３（Ａ）（Ｂ）は、図１に示された衣類を分解して示す平面図である。なお、本実施形態では、図１、図２に示すように、患者が着用するための手術着１を一例として説明する。
【００１５】
手術着１は、図１、図２に示すように、着用者の胴体Ｂ（図２に示す）を覆う身頃部２と、着用者の各腕Ａを覆う左右の袖部３Ａ、３Ｂと、を有して略Ｔ字状に形成されている。身頃部２は、着用者の胸部（前側）を覆う前身頃２１と、着用者の背中（後側）を覆う後身頃２２と、を備えている。前身頃２１は、左前身頃２１Ａ及び右前身頃２１Ｂを備えている。即ち、手術着１は、前開きとなるように構成されている。
【００１６】
図１、図３（Ａ）に示すように、左前身頃２１Ａ、及び左方の袖部３Ａの前側部分３０Ａは、これらが縫い目なく連続した一枚の布から成る。以下では、左前身頃２１Ａ、及び左方の袖部３Ａの前側部分３０Ａを総称して、「左身前部分構成部４Ａ」と記す。同様に、右前身頃２１Ｂ、及び右方の袖部３Ｂの前側部分３０Ｂは、これが縫い目なく連続した一枚の布から成る。以下では、右前身頃２１Ｂ、及び右方の袖部３Ｂの前側部分３０Ｂを総称して、「右身前部分構成部４Ｂ」と記す。また、図３（Ｂ）に示すように、後身頃２２、及び左右の袖部３Ａ、３Ｂの後側部分３１Ａ、３１Ｂは、これらが縫い目なく連続した一枚の布から成る。以下では、後身頃２２、及び左右の袖部３Ａ、３Ｂの後側部分３１Ａ、３１Ｂを総称して、「後身部分構成部５」と記す。即ち、手術着１は、左身前部分構成部４Ａ、右身前部分構成部４Ｂ、及び後身部分構成部５の三枚の布から構成されている。これら布は、ポリエステル５０％、綿５０％のパイル生地から構成されている。
【００１７】
左身前部分構成部４Ａ及び右身前部分構成部４Ｂは、図３（Ａ）に示すように、前中心を中心とする線対称となるように略同一形状に裁断して形成されている。左身前部分構成部４Ａ及び右身前部分構成部４Ｂは、それぞれ、Ｖ字状の襟部４０Ａ、４０Ｂと、襟部４０Ａ、４０Ｂの下端から下方に直線状に延在する前直線部４１Ａ、４１Ｂと、前直線部４１Ａ、４１Ｂに直交しつつ前中心から離れる左右の外方に延在する前裾線部４２Ａ、４２Ｂと、前裾線部４２Ａ、４２Ｂの左右の両端から略垂直に立ち上がる直線上の脇線部４３Ａ、４３Ｂと、各脇線部４３Ａ、４３Ｂの上端９２から左右の外方に延在する両袖下部４４Ａ、４４Ｂと、各襟部４０Ａ、４０Ｂの上端から肩先Ｐまで延在する第１裄丈部４６Ａ、４６Ｂと、各第１裄丈部４６Ａ、４６Ｂに連続されるとともに、肩先Ｐから袖口４５Ａ、４５Ｂまで延在する第２裄丈部４７Ａ、４７Ｂと、を有して構成されている。脇線部４３Ａ、４３Ｂは、上端９２から下方に離間した離間位置９３まで延在する上方部分（上方側脇線部の左右の端縁）４８Ａ、４８Ｂと、離間位置９３から下端９４まで延在する下方部分（下方側脇線部の左右の端縁）４９Ａ、４９Ｂと、を有して構成されている。
【００１８】
さらに、左身前部分構成部４Ａ及び右身前部分構成部４Ｂは、図３（Ａ）に示すように、紐状に設けられて、それらの他端部同士を結ぶことが可能な２組の紐部材６、７を有している。１組の紐部材６（上方側紐部材６と記す）は、各紐部材６Ａ、６Ｂの一端が、左身前部分構成部４Ａ及び右身前部分構成部４Ｂの各襟部４０Ａ、４０Ｂの近傍において、各々、同じ高さ位置に縫着（固定）されている。そして、他端同士が結ばれることで、着用者の胸元が開けないように、各襟部４０Ａ、４０Ｂ同士を近付けた状態で支持している。また、残り１組の紐部材７（下方側紐部材７と記す）は、各紐部材７Ａ、７Ｂの一端が、一方が右身前部分構成部４Ｂの脇線部４３Ｂの上端から離間した位置に縫着（固定）され、他方が、左身前部分構成部４Ａの前直線部４１Ａにおいて、一方と同じ高さ位置となるように縫着（固定）されている。そして、下方側紐部材７の他端同士が結ばれた状態では、左身前部分構成部４Ａの一部が右身前部分構成部４Ｂの一部に重ねられている。
【００１９】
後身部分構成部５は、図３（Ｂ）に示すように、後中心を中心とする線対称となるように裁断して形成されている。後身部分構成部５は、上縁のうち、後中心を含む位置に設けられた凹曲線状の後ろ襟ぐり部５１と、左身前部分構成部４Ａ及び右身前部分構成部４Ｂの各前裾線部４２Ａ、４２Ｂと同じ高さ位置に設けられた後裾線部５２と、後裾線部５２の左右の両端から略垂直に立ち上がる直線上の脇線部５３Ａ、５３Ｂと、各脇線部５３Ａ、５３Ｂの上端から左右の外方に延在する両袖下部５４Ａ、５４Ｂと、後ろ襟ぐり部５１の両端から肩先Ｐまで延在する第１裄丈部５６Ａ、５６Ｂと、各第１裄丈部５６Ａ、５６Ｂに連続されるとともに、肩先Ｐから袖口５５Ａ、５５Ｂまで延在する第２裄丈部５７Ａ、５７Ｂと、を有して構成されている。脇線部５３Ａ、５３Ｂは、上端９２から下方に離間した離間位置９３まで延在する上方部分（上方側脇線部の左右の端縁）５８Ａ、５８Ｂと、離間位置９３から下端９４まで延在する下方部分（下方側脇線部の左右の端縁）５９Ａ、５９Ｂと、を有して構成されている。
【００２０】
このような左身前部分構成部４Ａ、右身前部分構成部４Ｂ及び後身部分構成部５は、図２に示すように、左身前部分構成部４Ａの裄丈部４６Ａ、４７Ａと後身部分構成部５の裄丈部５６Ａ、５７Ａ、及び、右身前部分構成部４Ｂの裄丈部４６Ｂ、４７Ｂと後身部分構成部５の裄丈部５６Ｂ、５７Ｂを有して、着用者の左右の肩線Ｓ（図２に示す）に沿って設けられる「裄丈部８Ａ、８Ｂ」が構成される。なお、本実施形態の裄丈部８Ａ、８Ｂは、図１に示すように、各襟部４０Ａ、４０Ｂの上端から、袖口４５Ａ、４５Ｂ、５５Ａ、５５Ｂまで延在されている。
【００２１】
各裄丈部８Ａ、８Ｂは、図１に示すように、襟部４０Ａ、４０Ｂ側に位置する第１裄丈部８１Ａ、８１Ｂ（肩線部）と、第１裄丈部８１Ａ、８１Ｂに連続されるとともに、第１裄丈部８１Ａ、８１Ｂよりも袖口４５Ａ、４５Ｂ、５５Ａ、５５Ｂ側に位置する第２裄丈部８２Ａ、８２Ｂ（連続部）と、を有して構成されている。第１裄丈部８１Ａ、８１Ｂは、襟部４０Ａ、４０Ｂから肩先Ｐまで延在され、第２裄丈部８２Ａ、８２Ｂは、肩先Ｐから袖口４５Ａ、４５Ｂ、５５Ａ、５５Ｂまで延在されている。
【００２２】
第１裄丈部８１Ａは、図１に示すように、左身前部分構成部４Ａの第１裄丈部４６Ａ（上端縁）と、後身部分構成部５の第１裄丈部５６Ａ（上端縁）と、を有して構成され、第１裄丈部４６Ｂは、右身前部分構成部４Ｂの第１裄丈部４６Ｂ（上端縁）と、後身部分構成部５の第１裄丈部５６Ｂ（上端縁）と、を有して構成されている。第２裄丈部８２Ａは、左身前部分構成部４Ａの第２裄丈部４７Ａと、後身部分構成部５の第２裄丈部５７Ａと、を有して構成され、第２裄丈部４７Ｂは、右身前部分構成部４Ｂの第２裄丈部４７Ｂと、後身部分構成部５の第２裄丈部５７Ｂと、を有して構成されている。
【００２３】
左方の裄丈部８Ａには、左身前部分構成部４Ａの裄丈部４６Ａ、４７Ａと、後身部分構成部５の裄丈部５６Ａ、５７Ａとの間に、これらを接合分離可能に構成するための係合手段（符号１０を付す場合がある）が設けられている。係合手段は、複数の合成樹脂製のスナップボタン１０を有して構成され、裄丈部８Ａの一端から他端まで、裄丈部４６Ａ、４７Ａと裄丈部５６Ａ、５７Ａとを接合分離可能にしている。同様に、右方の裄丈部８Ｂには、右身前部分構成部４Ｂの裄丈部４６Ｂ、４７Ｂと、後身部分構成部５の裄丈部５６Ｂ、５７Ｂとの間に、これらを接合分離可能に構成するための係合手段（複数のスナップボタン１０）が設けられている。複数のスナップボタン１０は、裄丈部８Ｂの一端から他端まで、裄丈部４６Ｂと裄丈部５６Ｂとを接合分離可能にしている。
【００２４】
係合手段としての複数のスナップボタン１０は、図１に示すように、裄丈部８Ａ、８Ｂに沿う直線上に等間隔をあけて設けられている。各スナップボタン１０は、図示しない係止部と、係止部に係止される図示しない係止受け部と、を有して構成されている。係止部と係止受け部とのうち一方が、左身前部分構成部４Ａ及び右身前部分構成部４Ｂのうち、後身部分構成部５に対向する面に固着され、他方が、後身部分構成部５の左身前部分構成部４Ａ及び右身前部分構成部４Ｂに対向する面に固着されている。また、以下では、係止部の係止受け部に対する係止が解除されることを、「スナップボタン１０の係止を解除する」と表現する場合がある。なお、図３（Ａ）（Ｂ）において、複数のスナップボタン１０の符号の付与を、便宜上省略している。
【００２５】
以下では、スナップボタン１０の係止部の係止受け部に対する係止が解除されて、裄丈部４６Ａ、４６Ｂと裄丈部５６Ａ、５６Ｂとが分離されているとともに、裄丈部４７Ａ、４７Ｂと裄丈部５７Ａ、５７Ｂとが分離された状態を、「裄丈部８Ａ、８Ｂの分離状態」と表現し、スナップボタン１０の係止部の係止受け部に対する係止状態が維持されて、裄丈部４６Ａ、４６Ｂと裄丈部５６Ａ、５６Ｂとが接合されているとともに、裄丈部４７Ａ、４７Ｂと裄丈部５７Ａ、５７Ｂとが接合された状態を、「裄丈部８Ａ、８Ｂの接合状態」と表現する。
【００２６】
こうして裄丈部８Ａ、８Ｂは、分離状態とされることで、着用者の両肩線Ｓ及び両腕Ａが露出され、この状態で、手術着１が着用者の足側に引っ張られることで、手術着１が着用者の胴体Ｂを挿通されて、脱衣可能とされる。
【００２７】
また、左身前部分構成部４Ａ、右身前部分構成部４Ｂ及び後身部分構成部５は、左身前部分構成部４Ａの脇線部４３Ａと、後身部分構成部５の脇線部５３Ａを有して、着用者の左方の脇線に沿って設けられる「脇線部９Ａ」が構成され、右身前部分構成部４Ｂの脇線部４３Ｂと、後身部分構成部５の脇線部５３Ｂを有して、着用者の右方の脇線に沿って設けられる「脇線部９Ｂ」が構成される。
【００２８】
左右の脇線部９Ａ、９Ｂは、上方側脇線部９０Ａ、９０Ｂと、上方側脇線部９０Ａ、９０Ｂより下方側にある下方側脇線部９１Ａ、９１Ｂと、を有して構成されている。上方側脇線部９０Ａ、９０Ｂは、脇線部９Ａ、９Ｂの上端９２から下方に離間した離間位置９３まで延在され、下方側脇線部９１Ａ、９１Ｂは、脇線部９Ａ、９Ｂの離間位置９３から下端９４まで延在されている。
【００２９】
上方側脇線部９０Ａは、左身前部分構成部４Ａの脇線部４３Ａの上方部分４８Ａと、後身部分構成部５の左方の脇線部５３Ａの上方部分５８Ａが、縫着（固定）して構成されている。同様に、上方側脇線部９０Ｂは、右身前部分構成部４Ｂの脇線部４３Ｂの上方部分４８Ｂと、後身部分構成部５の右方の脇線部５３Ｂの上方部分５８Ｂが、縫着（固定）して構成されている。即ち、脇線部９Ａ、９Ｂは、その上端９２から下方に離間した離間位置９３までが、分離不可能に接合されている。
【００３０】
下方側脇線部９１Ａには、左身前部分構成部４Ａの脇線部４３Ａの下方部分４９Ａと、後身部分構成部５の左方の脇線部５３Ａの下方部分５９Ａとの間に、これらを接合分離可能に構成するための係合手段（複数のスナップボタン１０）が設けられている。複数のスナップボタン１０は、下方側脇線部９１Ａの一端から他端まで、脇線部４３Ａと脇線部５３Ａとを接合分離可能にしている。同様に、下方側脇線部９１Ｂは、右身前部分構成部４Ｂの脇線部４３Ｂの下方部分４９Ｂと、後身部分構成部５の右方の脇線部５３Ｂの下方部分５９Ｂとの間に、これらを接合分離可能に構成するための係合手段（複数のスナップボタン１０）が設けられている。複数のスナップボタン１０は、下方側脇線部９１Ｂの一端から他端まで、脇線部４３Ｂと脇線部５３Ｂとを接合分離可能にしている。
【００３１】
以下では、図１に示すように、スナップボタン１０の係止部の係止受け部に対する係止が解除されて、脇線部４３Ａの下方部分４９Ａ（脇線部４３Ｂの下方部分４９Ｂ）と脇線部５３Ａの下方部分５９Ａ（脇線部５３Ｂの下方部分５９Ｂ）とが分離された状態を、「下方側脇線部９１Ａ（９１Ｂ）の分離状態」と表現し、スナップボタン１０の係止部の係止受け部に対する係止状態が維持されて、脇線部４３Ａの下方部分４９Ａ（脇線部４３Ｂの下方部分４９Ｂ）と脇線部５３Ａの下方部分５９Ａ（脇線部５３Ｂの下方部分５９Ｂ）とが接合された状態を、「下方側脇線部９１Ａ（９１Ｂ）の接合状態」と表現する。
【００３２】
係合手段としての複数のスナップボタン１０は、図１に示すように、下方側脇線部９１Ａ、９１Ｂに沿う直線上に等間隔をあけて設けられている。各スナップボタン１０を構成する係止部と係止受け部とのうち一方が、左身前部分構成部４Ａ及び右身前部分構成部４Ｂのうち、後身部分構成部５に対向する面に固着され、他方が、後身部分構成部５の左身前部分構成部４Ａ及び右身前部分構成部４Ｂに対向する面に固着されている。
【００３３】
このように、下方側脇線部９１Ａ、９１Ｂが、複数のスナップボタン１０により、接合分離可能に構成されていることで、スナップボタン１０間の所望の位置に、チューブ（ドレナージチューブ）等を挿入させることができる。ここで、所望の位置にスナップボタン１０がある場合には、当該スナップボタンの係止を解除することで、チューブ（ドレナージチューブ）等を挿入させることができる。
【００３４】
さらに、左身前部分構成部４Ａの袖下部４４Ａと、後身部分構成部５の左方の袖下部５４Ａが、縫着（固定）され、右身前部分構成部４Ｂの袖下部４４Ｂと、後身部分構成部５の右方の袖下部５４Ｂが、縫着（固定）されている。即ち、手術着は、脇線部９Ａ、９Ｂの各上端９２から袖口４４Ａ、５４Ａまで、分離不可能に接合されている。
【００３５】
次に、手術着１の使用例の一例を説明する。
【００３６】
例えば手術前、患者（着用者）が手術着１を着用した状態では、上方側紐部材６の他端同士が結ばれて、左身前部分構成部４Ａ及び右身前部分構成部４Ｂの襟部４０Ａ、４０Ｂが開けないように支持され、下方側紐部材７の他端同士が結ばれて、左身前部分構成部４Ａが右身前部分構成部４Ｂに対して開けないように支持されている。この際、裄丈部８Ａ、８Ｂは接合状態であり、下方側脇線部９１Ａ、９１Ｂは接合状態である。
【００３７】
この状態で、着用者は手術を受ける。この際、下方側脇線部９１Ａ、９１Ｂの所望の位置に、チューブ（ドレナージチューブ）を挿入させる。ここで、所望の位置にスナップボタン１０がある場合には、当該スナップボタンの係止を解除することで、下方側脇線部９１Ａ、９１Ｂの一部を分離状態とし、チューブを挿入させる。こうして、チューブの屈曲を抑制しつつ、チューブを配索することができる。
【００３８】
また、手術着１を着用しつつ横になった状態で、左右の両裄丈部８Ａ、８Ｂを分離状態とし、手術着１を着用者の足側に引っ張ることで、手術着１が着用者の胴体Ｂを挿通されて、脱衣される。この際、上方側紐部材６の他端同士が結ばれて、左右の襟部４０Ａ、４０Ｂが開けないように支持され、下方側紐部材７の他端同士が結ばれて、前部分開けないように支持されている。つまり、着用者が横になったままの状態で、左右の両裄丈部８Ａ、８Ｂを分離させ、手術着１を着用者の足側に引っ張ることで、脱衣されるから、着用者の身体的負担及び精神的負担を和らげつつ、手術着１を脱衣させることができる。また、上方側紐部材６及び下方側紐部材７を解かずとも脱衣させることができるから、手術着１を脱衣させる作業者の手間も軽減することができる。
【００３９】
このような手術着１は、病院等で貸し出されることがある。そして、貸し出された手術着１は、使用後に一か所に集められ、大量が同時にクリーニングされることでメンテナンスされるが、脇線部９Ａ、９Ｂの上方側脇線部９０Ａ、９０Ｂ、及び袖下部４４Ａ、５４Ａ、４４Ｂ、５４Ｂが分離不可能に接合されていることで、クリーニング中に左身前部分構成部４Ａ、右身前部分構成部４Ｂと、後身部分構成部５が分解されることがなくなって、組みと成る構成部４Ａ、４Ｂ、５を探す手間が省ける。
【００４０】
また、脇線部９Ａ、９Ｂの上方側脇線部９０Ａ、９０Ｂ、及び袖下部４４Ａ、５４Ａ、４４Ｂ、５４Ｂが分離不可能に接合されていることで、構成部４Ａ、４Ｂ、５が位置合わせされていることとなり、スナップボタン１０を構成する係止部と係止受け部の組合わせを、間違え難くすることができる。従って、メンテナンス性の向上を図りつつ、効率よく脱衣させることができる。
【００４１】
なお、本実施形態における手術着１は、図１に示すように、着丈Ｌ１が１００ｍｍ、裄丈Ｌ２が５４ｍｍとなるように形成した。または、着丈Ｌ１が１１６ｍｍ、裄丈Ｌ２が６４ｍｍとなるように形成してもよい。また、「着丈」とは、後ろ襟ぐり部５１の中心（後中心）から裾線部４２Ａ、４２Ｂ、５２までの寸法のことであり、「裄丈」とは、後ろ襟ぐり部５１の中心（後中心）から肩先Ｐまでの寸法に、肩先Ｐから袖口４５Ａ、４５Ｂ、５５Ａ、５５Ｂまでの寸法を加えた寸法のことである。なお、本実施形態において、上記各寸法等はあくまでも一例であり、本考案においては用途に応じて適宜設計すればよい。
【００４２】
また、本考案は、前記実施形態に限定されるものではなく、本考案の目的が達成できる他の構成等を含み、以下に示すような変形等も本考案に含まれる。例えば、前記実施形態では、衣類として患者が着用するための手術着１を例示したが、本考案はこれに限定されるものではない。本考案の衣類は、検査着として用いてもよく、寝衣として用いてもよい。
【００４３】
また、本実施形態では、係合手段として、スナップボタン１０を例示して説明していたが、本考案はこれに限定されるものではない。係合手段として、面ファスナーが、間隔をあけて設けられていてもよく、面ファスナーが、裄丈部８Ａ、８Ｂや下方側脇線部９１Ａ、９１Ｂの全長に連続して設けられていてもよい。
【００４４】
また、本実施形態では、手術着１（衣類）は、着用者の腕Ａを覆う袖部３Ａ、３Ｂを有して構成されているが、衣類は、袖部３Ａ、３Ｂを有していなくともよい。この場合には、袖部３Ａ、３Ｂにある第２裄丈部８２Ａ、８２Ｂは省略されていてもよい。
【００４５】
前述した実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の衣類の構成を具備する限り、勿論、本考案の範疇に含まれるものである。
【符号の説明】
【００４６】
１                              手術着（衣類）
３Ａ、３Ｂ                      袖部
９Ａ、９Ｂ                      脇線部
２１                            前身頃
２２                            後身頃
４６Ａ、４６Ｂ、５６Ａ、５６Ｂ  第１裄丈部（前身頃及び後身頃の上端縁）
４８Ａ、４８Ｂ、５８Ａ、５８Ｂ  脇線部の上方部分（上方側脇線部の左右の端縁）
４９Ａ、４９Ｂ、５９Ａ、５９Ｂ  脇線部の下方部分（下方側脇線部の左右の端縁）
８１Ａ、８１Ｂ                  第１裄丈部（肩線部）
８２Ａ、８２Ｂ                  第２裄丈部（連続部）
９０Ａ、９０Ｂ                  上方側脇線部
９１Ａ、９１Ｂ                  下方側脇線部
９２                            上端
９３                            離間位置
９４                            下端
４５Ａ、４５Ｂ、５５Ａ、５５Ｂ  袖口
Ｓ                              着用者の肩線
Ａ                              着用者の各腕
【図１】
0003205705.tif 000003
【図２】
0003205705.tif 000004
【図３】
0003205705.tif 000005